Podtech/llm-jp-corpus-v4-ja_patent huggingface dataset:
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
フィルムを製造する方法であって、
ミクロフィブリル化セルロースを含む懸濁物を提供するステップと、
前記懸濁物へ酵素を添加するステップと、
前記酵素を前記懸濁物と混合して混合物を形成するステップと、
前記混合物をワイヤーへ適用して繊維ウェブを形成するステップと、
前記ウェブを乾燥して前記フィルムを形成ステップと、
を含む、上記方法。
【請求項２】
前記酵素が、セルラーゼ、キシラナーゼ及び／又はマンナナーゼ等のセルロース及び／又はヘミセルロースを分解する酵素である、請求項１に記載の方法。
【請求項３】
前記酵素が、２００００ＣＭＵ／ｇを超える活性を備えたセルラーゼ及び／又は２００００ｎｋａｔ／ｍｌを超える活性を備えたキシラナーゼである、請求項１又は２に記載の方法。
【請求項４】
前記ミクロフィブリル化セルロースが生来のものである、請求項１〜３のいずれか一項に記載の方法。
【請求項５】
前記酵素が添加される場合の前記懸濁物の温度が、３０〜７０℃である、請求項１〜４のいずれか一項に記載の方法。
【請求項６】
前記ワイヤーへ適用される前に、少なくとも５分、好ましくは少なくとも１５分、又はさらにより好ましくは少なくとも３０分の期間の間、混合物が保存される、請求項１〜５のいずれか一項に記載の方法。
【請求項７】
前記混合物の乾燥含有量が重量で０．０１〜０．５％である、請求項１〜６のいずれか一項に記載の方法。
【請求項８】
前記方法が、前記酵素の添加の前に、ミクロフィブリル化セルロースを含む前記懸濁物を機械的に処理するステップをさらに含む、請求項１〜７のいずれか一項に記載の方法。
【請求項９】
前記繊維ウェブが前記ワイヤー上で脱水される、請求項１〜８のいずれか一項に記載の方法。
【請求項１０】
前記ワイヤー上の生産スピードが１５０〜１５００ｍ／分である、請求項１〜９のいずれか一項に記載の方法。
【請求項１１】
乾燥前の前記繊維ウェブの乾燥含有量は２０〜５０重量％である、請求項１〜１０のいずれか一項に記載の方法。
【請求項１２】
前記乾燥が１００〜１５０℃の温度で行われる、請求項１〜１１のいずれか一項に記載の方法。
【請求項１３】
前記混合物が、デンプン、カルボキシメチルセルロース、充填物質、保持化学物質、凝集添加物、解膠添加物、乾燥強度添加物、湿潤強度添加物、軟化剤、界面活性剤、又はその混合物のうちの任意の１つをさらに含む、請求項１〜１２のいずれか一項に記載の方法。
【請求項１４】
前記フィルムが、２３℃で５０％の相対湿度で及び／又は３８℃での８５％の相対湿度で、ＡＳＴＭ  Ｄ−３９８５に従って、０．１〜３００ｃｃ／ｍ２／２４時間の範囲の酸素透過率を有する、請求項１〜１３のいずれか一項に記載の方法。
【請求項１５】
前記懸濁物が、前記懸濁物中の全量の有機材料で、５０〜１００重量％のミクロフィブリル化セルロースを含む、請求項１〜１４のいずれか一項に記載の方法。
【請求項１６】
前記フィルムが、ミクロフィブリル化セルロースを含み、２３℃で５０％の相対湿度で及び／又は３８℃で８５％の相対湿度で、ＡＳＴＭ  Ｄ−３９８５に従って測定された、０．１〜３００ｃｃ／ｍ２／２４時間の範囲の酸素透過率を有する、請求項１〜１５のいずれか一項に従って生産されるフィルム。
【請求項１７】
前記フィルムが、１００ｇ／ｍ２未満、好ましくは１０〜１００ｇ／ｍ２の坪量を有する、請求項１６に記載のフィルム。
【請求項１８】
前記フィルムが２つ以上の層を含む多層フィルムである、請求項１６又は１７に記載のフィルム。
【請求項１９】
前記フィルムが、フィルムの全有機材料含有量で、５０〜１００重量％のミクロフィブリル化セルロースを含む、請求項１６〜１８のいずれか一項に記載のフィルム。
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
α鎖及びβ鎖を有し、かつCDR3αとしてアミノ酸配列：
【化１】
2021500406.tif 000001
若しくはそれと少なくとも88%の同一性を共有している配列；及び
CDR3βとして
【化２】
2021500406.tif 000002
若しくはそれと少なくとも88%の同一性を共有している配列を含む、又はこれらからなる相補性決定領域を有することを特徴とする、腫瘍特異的T細胞受容体（TCR）。
【請求項２】
以下の相補性決定領域配列：
【化３】
2021500406.tif 000003
の任意の組合わせを含む1以上を含む、請求項1記載の腫瘍特異的T細胞受容体（TCR）。
【請求項３】
α鎖及びβ鎖を有し、かつCDR3αとしてアミノ酸配列：
【化４】
2021500406.tif 000004
若しくはそれと少なくとも88%の同一性を共有している配列； 
CDR3βとして
【化５】
2021500406.tif 000005
若しくはそれと少なくとも88%の同一性を共有している配列；
【化６】
2021500406.tif 000006
を含む、又はこれらからなる相補性決定領域を有することを特徴とする、請求項1記載の腫瘍特異的T細胞受容体（TCR）。
【請求項４】
α鎖及びβ鎖を有し、かつCDR3αとしてアミノ酸配列：
【化７】
2021500406.tif 000007
； 
CDR3βとして
【化８】
2021500406.tif 000008
；
【化９】
2021500406.tif 000009
を含む、又はこれらからなる相補性決定領域を有することを特徴とする、請求項3記載の腫瘍特異的T細胞受容体（TCR）。
【請求項５】
粘膜関連インバリアントT細胞（MAIT細胞）によって発現され、又は該MAIT細胞と関連付けられるTCRではない、請求項1〜4のいずれか1項記載の腫瘍特異的T細胞受容体（TCR）。
【請求項６】
アミノ酸配列：
【化１０】
2021500406.tif 000010
若しくはそれと少なくとも88%の同一性を共有する配列を含み、又はこれらからなるα鎖を有する、請求項1〜5のいずれか1項記載の腫瘍特異的T細胞受容体（TCR）。   
【請求項７】
アミノ酸配列：
【化１１】
2021500406.tif 000011
若しくはそれと少なくとも88%の同一性を共有する配列を含み、又はこれらからなるβ鎖を有する、請求項1〜6のいずれか1項記載の腫瘍特異的T細胞受容体（TCR）。  
【請求項８】
可溶性形態にある、請求項1〜7のいずれか1項記載の腫瘍特異的T細胞受容体（TCR）。
【請求項９】
膜適合型形態にあり、膜貫通領域及び細胞内領域を有する、請求項1〜7のいずれか1項記載の腫瘍特異的T細胞受容体（TCR）。
【請求項１０】
MR1に拘束される、請求項1〜9のいずれか1項記載の腫瘍特異的T細胞受容体（TCR）。 
【請求項１１】
請求項1〜10のいずれか1項記載のTCRを発現するT細胞。
【請求項１２】
請求項1〜10のいずれか1項記載のTCRを発現するT細胞クローン。
【請求項１３】
前記クローンが、配列番号:7のアミノ酸配列又はそれと少なくとも98%の同一性を共有する配列を含み、かつCDR3αとして配列番号:1、CDR1αとして配列番号:3、及びCDR2αとして配列番号:4の配列を有するCDRを含む、α鎖を有するTCR、並びに配列番号:8のアミノ酸配列又はそれと少なくとも98%の同一性を共有する配列を含み、かつCDR3βとして配列番号2、CDR1βとして配列番号:5、及びCDR2βとして配列番号:6の配列を有するCDRを含む、β鎖を有するTCRを発現する、請求項12記載のT細胞クローン。
【請求項１４】
請求項1〜10のいずれか1項記載のTCRをコードするベクター。
【請求項１５】
請求項1〜10のいずれか1項記載のTCR及びキラーT細胞などの免疫細胞と結合し、従ってこれを活性化させる免疫細胞活性化成分又はリガンドを含む二重特異性。
【請求項１６】
請求項1〜10のいずれか1項記載のTCR、請求項11記載の細胞、請求項12若しくは13記載のクローン、請求項14記載のベクター、又は請求項15記載の二重特異性を含む、医薬組成物。 
【請求項１７】
癌の治療のための、請求項16記載の医薬組成物。
【請求項１８】
前記癌が、結腸直腸癌、肺癌、腎癌、前立腺癌、子宮頚癌、黒色腫（皮膚癌）、骨癌、卵巣癌、乳癌、及び血液癌からなる群から選択される、請求項17記載の医薬組成物。
【手続補正書】
【提出日】令和3年7月29日(2021.7.29)
【手続補正１】
【補正対象書類名】明細書
【補正対象項目名】０００３
【補正方法】変更
【補正の内容】
【０００３】
プロドラッグは、典型的には、活性薬物の代替形態であり、プロドラッグを不活性にするか、溶解性、安定性、または生物学的利用能を与えるか、または活性薬物の他のいくつかの特性を変える化学基で可逆的に修飾または誘導体化される。典型的には、プロドラッグの化学基は、熱、キャビテーション、圧力、ｐＨ変化、還元−酸化、および／またはプロドラッグに作用する酵素活性によりプロドラッグから切断され、それにより活性薬物を放出する。プロドラッグの化学基の切断は、対象への薬物送達の前に起こり得るが、一般的には、対象における酵素プロセスによってインビボで起こる。
この出願の発明に関連する先行技術文献情報としては、以下のものがある（国際出願日以降国際段階で引用された文献及び他国に国内移行した際に引用された文献を含む）。
（先行技術文献）
（非特許文献）
（非特許文献１）  ＷＥＳＳＥＬＳ  Ｆ  Ｌ  ＥＴ  ＡＬ，"Ｓｙｎｔｈｅｓｉｓ  ａｎｄ  ｓｋｅｌｅｔａｌ  ｍｕｓｃｌｅ  ｒｅｌａｘａｎｔ  ａｃｔｉｖｉｔｙ  ｏｆ  ３−（ａｍｉｎｏａｃｙｌ）−１−［［［５−（ｓｕｂｓｔｉｔｕｔｅｄ  ｐｈｅｎｙｌ）−２−ｆｕｒａｎｙｌ］ｍｅｔｈｙｌｅｎｅ］ａｍｉｎｏ］−２，４−ｉｍｉｄａｚｏｌｉｄｉｎｅｄｉｏｎｅｓ"，  ＤＩＳＳＯＬＵＴＩＯＮ  ＰＲＯＦＩＬＥ  ＯＦ  ＮＯＶＥＬ  ＣＯＭＰＯＳＩＴＥ  ＰＥＬＬＥＴ  ＣＯＲＥＳ  ＢＡＳＥＤ  ＯＮ  ＤＩＦＦＥＲＥＮＴ  ＲＡＴＩＯＳ  ＯＦ  ＭＩＣＲＯＣＲＹＳＴＡＬＬＩＮＥ  ＣＥＬＬＵＬＯＳＥ  ＡＮＤ  ＩＳＯＭＡＬＴ，  ＪＯＵＲＮＡＬ  ＯＦ  ＰＨＡＲＭＡＣＥＵＴＩＣＡＬ  ＳＣＩＥＮＣＥＳ，ＶＯＬ．１０１，ＮＲ．８，ＰＡＧＥ（Ｓ）  ２６７５−２６８０，Ｖｏｌ．７０，Ｎｏ．９，０１  Ｓｅｐｔｅｍｂｅｒ  １９８１（１９８１−０９−０１），ｐａｇｅ  １０８８−１０９０
（非特許文献２）  ＳＮＹＤＥＲ  Ｈ  Ｒ  ＥＴ  ＡＬ，"１−［（５−ａｒｙｌｆｕｒｆｕｒｙｌｉｄｅｎｅ）ａｍｉｎｏ］ｈｙｄａｎｔｏｉｎｓ．Ａ  ｎｅｗ  ｃｌａｓｓ  ｏｆ  ｍｕｓｃｌｅ  ｒｅｌａｘａｎｔｓ"，ＪＯＵＲＮＡＬ  ＯＦ  ＭＥＤＩＣＩＮＡＬ  ＣＨＥＭＩＳＴＲＹ，ＡＭＥＲＩＣＡＮ  ＣＨＥＭＩＣＡＬ  ＳＯＣＩＥＴＹ，Ｖｏｌ．１０，０１  Ｓｅｐｔｅｍｂｅｒ  １９６７  （１９６７−０９−０１），ｐａｇｅ  ８０７−８０９
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
第１のブロックと第２のブロックを含むブロックポリマーであって、第１のブロックが、シス−１，４−イソプレン単位を含み、そのモル含有量が第１のブロックのトランス−１，４−イソプレン単位のモル含有量よりも大きく、第２のブロックが、１，３−ジエンのモノマー単位とエチレン、α−モノオレフィンおよびその混合物からなる群から選択されるオレフィンのモノマー単位とを含み、ブロックポリマーが、ブロックポリマー中のイソプレン単位の少なくとも８ｍｏｌ％に相当する３，４−イソプレン単位を含み、第２のブロックが、１，３−ブタジエンとエチレンのコポリマー鎖または１，３−ブタジエン、エチレンおよびスチレンのターポリマー鎖である、ブロックポリマー。
【請求項２】
ジブロックである、請求項１に記載のブロックポリマー。
【請求項３】
第１のブロックがアタクチック鎖である、請求項１および２のいずれか１項に記載のブロックポリマー。
【請求項４】
第１のブロックが、イソプレンのホモポリマー鎖である、請求項１から３のいずれか１項に記載のブロックポリマー。
【請求項５】
第１のブロックが、１００を超えるモノマー単位を含有する、請求項１から４のいずれか１項に記載のブロックポリマー。
【請求項６】
第２のブロックが、０ｍｏｌ％超〜５０ｍｏｌ％の１，３−ジエンのモノマー単位と５０ｍｏｌ％〜１００ｍｏｌ％未満のオレフィンのモノマー単位を含む、請求項１から５のいずれか１項に記載のブロックポリマー。
【請求項７】
１，３−ジエンが１，３−ブタジエンである、請求項１から６のいずれか１項に記載のブロックポリマー。
【請求項８】
第１のブロックのモノマー単位の炭素原子と第２のブロックのモノマー単位の炭素原子との直接結合により、第１のブロックが第２のブロックに共有結合されている、請求項１から７のいずれか１項に記載のブロックポリマー。
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
少なくとも１種の主要ビニル芳香族ジエンエラストマー、補強用充填剤、架橋系、および800〜1500g/molの範囲内の数平均分子量(Mn)および一般式(I)を有するポリフェニレンエーテル樹脂をベースとするゴム組成物
【化１】
2021500432.tif 000001
(I)
(式中、基Rは、互いに独立して、水素原子またはアルキル基を示し、nは、６と12の間である)。
【請求項２】
前記ビニル芳香族ジエンエラストマーが、10％よりも多いビニル芳香族含有量を有する、請求項１記載の組成物。
【請求項３】
前記ビニル芳香族ジエンエラストマーが、ブタジエンとスチレンのコポリマー、イソプレンとスチレンのコポリマー、ブタジエンとイソプレンとスチレンのコポリマーおよびこれらのエラストマーの混合物からなる群から選ばれ、好ましくは、ブタジエンとスチレンのコポリマーおよび後者のコポリマーの混合物からなる群から選ばれる、請求項１または２記載の組成物。
【請求項４】
前記ビニル芳香族ジエンエラストマー含有量が70〜100phr(エラストマー100部当たりの質量部)、好ましくは85〜100phrの範囲内である、請求項１〜３のいずれか１項記載の組成物。
【請求項５】
前記ポリフェニレンエーテル樹脂が、０〜130℃、好ましくは５〜115℃の範囲内の、1999年の規格ASTM D3418に従いDSCによって測定したガラス転移温度(Tg)を有する、請求項１〜４のいずれか１項記載の組成物。
【請求項６】
前記ポリフェニレンエーテル樹脂の含有量が、１〜90phr、好ましくは２〜80phrの範囲内である、請求項１〜５のいずれか１項記載の組成物。
【請求項７】
前記補強用充填剤がカーボンブラックおよび/またはシリカを含む、請求項１〜６のいずれか１項記載の組成物。
【請求項８】
前記補強用充填剤が、20phrと200phrの間、より好ましくは30phrと160phrの間を示す、請求項１〜７のいずれか１項記載の組成物。
【請求項９】
請求項１〜８のいずれか１項記載のゴム組成物を含む完成または半完成ゴム製品。
【請求項１０】
請求項１〜８のいずれか１項記載のゴム組成物を含むタイヤ。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
特性調整剤、摩擦係数減少剤、及びキャリアを含むインクジェットインク固定化組成物であって、前記特性調整剤が、基体の表面のｐＨレベルを低下させる酸であり、それによってインク組成物が前記基体の表面上でインクジェットインク固定化組成物と接触するとインク組成物の固定化を実施し、インクジェットインク固定化組成物が２〜６．５の範囲のｐＨを有し、前記摩擦係数減少剤が、カチオン性ポリシロキサン樹脂分散液／乳濁液、カチオン性アミノ官能ポリシロキサン樹脂分散液／乳濁液、カチオン性４級アンモニウム脂肪酸凝縮化合物分散液／乳濁液、及びそれらのいずれかの組み合わせからなる群から選択され、前記基体の摩擦係数減少剤が、酸性条件下で安定であり、かつインクジェットインク固定化組成物の全重量の少なくとも１５％の濃度でインクジェットインク固定化組成物に溶解可能であるように選択される、インクジェットインク固定化組成物。
【請求項２】
インクジェットインク固定化組成物中の前記摩擦係数減少剤の前記濃度が、インクジェットインク固定化組成物の全重量の１５％〜３５％の範囲である、請求項１に記載のインクジェットインク固定化組成物。
【請求項３】
インクジェットインク固定化組成物中の前記摩擦係数減少剤の前記濃度が、インクジェットインク固定化組成物の全重量の２５％である、請求項１に記載のインクジェットインク固定化組成物。
【請求項４】
前記分散液／乳濁液が、一不飽和脂肪酸、油、ワックス、及びそれらのいずれかの組み合わせをさらに含む、請求項１に記載のインクジェットインク固定化組成物。
【請求項５】
着色剤を実質的に欠いている、請求項１〜４のいずれかに記載のインクジェットインク固定化組成物。
【請求項６】
基体の上に印刷された画像であって、画像が、基体に付着されたフィルムの形態であり、前記画像が、基体の表面でインク組成物と請求項１〜５のいずれかに記載のインクジェットインク固定化組成物を接触させることによって前記フィルムを形成し、そして前記フィルムを硬化することによって形成される、画像。
【請求項７】
前記インク組成物が、分散顔料、酸感受性剤、及びキャリアを含み、前記酸感受性剤が、前記インクジェットインク固定化組成物と接触すると前記インク組成物の凝固を実施する、請求項６に記載の画像。
【請求項８】
前記フィルムの静摩擦係数が０．５より低い、請求項６〜７のいずれかに記載の画像。
【請求項９】
前記フィルムの動摩擦係数が０．４４より低い、請求項６〜８のいずれかに記載の画像。
【請求項１０】
請求項６〜９のいずれかに記載の画像を表面に付けた基体。
【請求項１１】
衣料、室内装飾布、及び寝具からなる群から選択される織物品である、請求項１０に記載の基体。
【請求項１２】
請求項１〜５のいずれかに記載のインクジェットインク固定化組成物、及びインク組成物を含むインクジェット印刷キットであって、前記インク組成物が、分散顔料、酸感受性剤、及びキャリアを含み、前記酸感受性剤が、前記インクジェットインク固定化組成物と接触すると前記インク組成物の凝固を実施する、インクジェット印刷キット。
【請求項１３】
基体の少なくとも一部を請求項１〜５のいずれかに記載のインクジェットインク固定化組成物と接触させ、インク組成物を基体の前記少なくとも一部の上に付与し、それによって画像を印刷することを含む、基体の上に画像を印刷する方法であって、前記インク組成物が、分散顔料、酸感受性剤、及びキャリアを含み、前記酸感受性剤が、前記インクジェットインク固定化組成物と接触すると前記インク組成物の凝固を実施する、方法。
【請求項１４】
前記インクジェットインク固定化組成物及び前記インク組成物が、各々個々に、別個のアプリケーターによって基体の前記少なくとも一部に付与される、請求項１３に記載の方法。
【請求項１５】
前記インク組成物を付与した後に画像を硬化することをさらに含む、請求項１３〜１４のいずれかに記載の方法。
【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
プラスチック基材および／または金属基材接着用の接着剤であり、
前記接着剤は、少なくとも１つのフランジカルボン酸（ＦＤＣＡ）系ポリエステルポリオール、および少なくとも１つのＮＣＯ基含有化合物を含み、使用される前記フランジカルボン酸が再生可能原料から得られることを特徴とする、接着剤。
【請求項２】
前記ポリエステルポリオールは、フランジカルボン酸とポリオールとの反応生成物であることを特徴とする、請求項１に記載の接着剤。
【請求項３】
前記ポリオールはジオール、好ましくは再生可能原料から得られるジオールであることを特徴とする、請求項２に記載の接着剤。
【請求項４】
前記ポリエステルポリオールは、完全に再生可能原料から得られることを特徴とする、請求項３に記載の接着剤。
【請求項５】
再生可能原料からのポリエステルポリオールの割合は、それぞれ前記接着剤中のポリエステルポリオールの総重量に基づいて、少なくとも８０重量％、好ましくは少なくとも９０重量％であることを特徴とする、請求項４に記載の接着剤。
【請求項６】
前記ＮＣＯ基含有化合物は、２つ以上のイソシアネート基を有するポリイソシアネートである、好ましくは、１，５−ナフチレンジイソシアネート（ＮＤＩ）、２，４’−または４，４’−ジフェニルメタンジイソシアネート（ＭＤＩ）、トルエンジイソシアネート（ＴＤＩ）の異性体、メチレントリフェニルトリイソシアネート（ＭＩＴ）、水素化ＭＤＩ（Ｈ１２ＭＤＩ）、テトラメチルキシリレンジイソシアネート（ＴＭＸＤＩ）、１−イソシアナトメチル−３−イソシアナト−１，５，５−トリメチルシクロヘキサン（ＩＰＤＩ）、キシリレンジイソシアネート（ＸＤＩ）、ヘキサン−１，６−ジイソシアネート（ＨＤＩ）、ペンタメチレンジイソシアネートおよびジシクロヘキシルメタンジイソシアネート、ならびにそれらのオリゴマーおよびそれらのポリマーからなる群から選択される化合物であることを特徴とする、請求項１〜５のいずれかに記載の接着剤。
【請求項７】
前記ＮＣＯ基含有化合物は、ＮＣＯ末端プレポリマーであることを特徴とする、請求項１〜６のいずれかに記載の接着剤。
【請求項８】
前記接着剤は、溶媒を含有する、または溶媒不含である、または水性分散液として存在することを特徴とする、請求項１〜７のいずれかに記載の接着剤。
【請求項９】
請求項１〜８のいずれかに記載の接着剤を少なくとも１つの基材に塗布し、次いで前記基材を少なくとも１つのさらなる基材と互いに接合する、少なくとも２つの基材を接着する方法。
【請求項１０】
前記基材の少なくとも１つは、金属面または印刷面を有することを特徴とする、請求項９に記載の方法。
【請求項１１】
前記接着剤を第１フィルム状基材に塗布し、次いで前記基材を第２フィルム状基材に接着することを特徴とする、請求項９または１０に記載の方法。
【請求項１２】
前記接着剤を１〜１００ｇ／ｍ２の量で塗布することを特徴とする、請求項９〜１１のいずれかに記載の方法。
【請求項１３】
フランジカルボン酸が再生可能原料から得られることを特徴とする、接着剤を調製するためのフランジカルボン酸の使用。
【請求項１４】
請求項９〜１２のいずれかに記載の方法を使用して得られる物品。
【請求項１５】
前記物品が食品包装であることを特徴とする、請求項１４に記載の物品。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
エラストマー（Ｅ）からなる着色発泡粒子の製造方法であって、少なくとも以下の工程、
（ｉ）少なくとも１種の前記エラストマー（Ｅ）で作られた発泡粒子を提供する工程と、
（ｉｉ）前記粒子を染料（Ｆ）及び担体流体（ＴＦ）を含む混合物（Ｍ）と接触させて着色発泡粒子を得る工程と
を含み、
前記担体流体（ＴＦ）が前記エラストマー（Ｅ）への前記担体流体の吸着に適した極性を有し、前記担体流体（ＴＦ）が１５０ｋＪ／ｍｏｌ以上のＥＴ（３０）値を有する、方法。
【請求項２】
前記混合物（Ｍ）が、溶液、乳濁液又は分散液である、請求項１に記載の方法。
【請求項３】
前記担体流体（ＴＦ）が８０℃〜３００℃の範囲の沸点を有する、請求項１又は２に記載の方法。
【請求項４】
前記担体流体（ＴＦ）がグリコール、及びクエン酸のエステル及びグリセロールエステルからなる群から選択される、請求項１から３のいずれか一項に記載の方法。
【請求項５】
前記染料（Ｆ）が液体染料及び固体顔料からなる群から選択される、請求項１から４のいずれか一項に記載の方法。
【請求項６】
前記エラストマー（Ｅ）が熱可塑性ブロックコポリマーである、請求項１から５のいずれか一項に記載の方法。
【請求項７】
前記エラストマー（Ｅ）が、熱可塑性ポリウレタン、ポリエーテルエステル、ポリエステルエステル及びポリエーテルアミドからなる群から選択される、請求項１から６のいずれか一項に記載の方法。
【請求項８】
少なくとも以下の工程、
（ｉ）少なくとも１種のエラストマー（Ｅ）で作られた発泡粒子を提供する工程と、
（ｉｉ）前記粒子を染料（Ｆ）及び担体流体（ＴＦ）を含む混合物（Ｍ）と接触させて着色発泡粒子を得る工程と
を含む方法により得られる又は得ることができる着色発泡粒子であって、
前記担体流体（ＴＦ）が前記エラストマー（Ｅ）への前記担体流体の吸着に適した極性を有し、前記担体流体（ＴＦ）が１５０ｋＪ／ｍｏｌ以上のＥＴ（３０）値を有する、粒子。
【請求項９】
前記エラストマー（Ｅ）が、熱可塑性ポリウレタン、ポリエーテルエステル、ポリエステルエステル及びポリエーテルアミドからなる群から選択される、請求項８に記載の粒子。
【請求項１０】
請求項１から７のいずれか一項に記載の方法により得られる又は得ることができる着色発泡粒子。
【請求項１１】
請求項８から１０のいずれか一項に記載の発泡粒子、又は請求項１から７のいずれか一項に記載の方法により得ることができる発泡粒子を、成形体の製造に使用する方法。
【請求項１２】
前記成形体が前記粒子の相互の融合又は結合によって製造される、請求項１１に記載の使用方法。
【請求項１３】
前記成形体が、履物の底、履物の底の一部、自転車のサドル、クッション、マットレス、下敷き、ハンドル、保護フィルム、自動車の内装及び外装部門における構成要素である、請求項１１又は１２に記載の使用方法。
【請求項１４】
請求項８から１０のいずれか一項に記載の発泡粒子、又は請求項１から７のいずれか一項に記載の方法により得ることができる発泡粒子を、ボール及びスポーツ用品に、又は床カバー材及び壁パネルとして、特にスポーツ面、陸上競技面、スポーツホール、子供の遊び場及び通路のための床カバー材及び壁パネルとして、使用する方法。
【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
血液がんを治療するための医薬組成物を製造するためのＴ細胞の集団の使用であって、ここにおいてそれぞれのＴ細胞はキメラ抗原受容体（ＣＡＲ）をコードする核酸配列に操作可能に連結された発現制御配列を含み、ここにおいてＣＡＲは、配列番号２、１２、２２、３２、４２、５２、６２、７２、８２、９２、１０２、１１２、１２２、１３２、１４２、１５２、１６２または１７２のアミノ酸配列を含むＣＤ２２抗原結合ドメインを含む少なくとも１つの細胞外の抗原結合ドメインと、少なくとも１つのリンカーまたはスペーサドメインと、少なくとも１つの膜貫通ドメインと、少なくとも１つの細胞内シグナル伝達ドメインとを含み、ここにおいてＴ細胞はがん患者のＴ細胞であり、発現されたＣＡＲは血液がんを標的とする、使用。
【請求項２】
少なくとも１つの膜貫通ドメインは、Ｔ細胞受容体のアルファ、ベータ、もしくはゼータ鎖、ＣＤ２８、ＣＤ３イプシロン、ＣＤ４５、ＣＤ４、ＣＤ５、ＣＤ８、ＣＤ９、ＣＤ１６、ＣＤ２２、ＣＤ３３、ＣＤ３７、ＣＤ６４、ＣＤ８０、ＣＤ８６、ＣＤ１３４、ＣＤ１３７またはＣＤ１５４から選択されたタンパク質の膜貫通ドメインを含む、請求項１に記載の使用。
【請求項３】
少なくとも１つのＣＤ２２抗原結合ドメイン、少なくとも１つの細胞内シグナル伝達ドメイン、またはその両方は、リンカーまたはスペーサドメインによって、前記膜貫通ドメインに結合される、請求項１に記載の使用。
【請求項４】
少なくとも１つのリンカーまたはスペーサドメインは、ＣＤ８またはＣＤ２８の細胞外ドメインに由来し、かつ、少なくとも１つの膜貫通ドメインに結合している、請求項１に記載の使用。
【請求項５】
コードされる細胞外のＣＤ２２抗原結合ドメインは、リーダーペプチドをコードするリーダーヌクレオチド配列の後ろに位置する、請求項１に記載の使用。
【請求項６】
少なくとも１つの細胞内シグナル伝達ドメインは、ＣＤ３ゼータ細胞内ドメインをさらに含む、請求項１に記載の使用。
【請求項７】
細胞外のＣＤ２２抗原結合ドメインをコードする核酸配列は、配列番号１、１１、２１、３１、４１、５１、６１、７１、８１、９１、１０１、１１１、１２１、１３１、１４１、１５１、１６１または１７１のヌクレオチド配列を含む、請求項１に記載の使用。
【請求項８】
少なくとも１つの細胞内シグナル伝達ドメインは、共刺激ドメイン、一次シグナル伝達ドメイン、またはこれらの任意の組み合わせを含む、請求項１に記載の使用。
【請求項９】
少なくとも１つの共刺激ドメインは、ＯＸ４０、ＣＤ７０、ＣＤ２７、ＣＤ２８、ＣＤ５、ＩＣＡＭ−１、ＬＦＡ−１（ＣＤ１１ａ／ＣＤ１８）、ＩＣＯＳ（ＣＤ２７８）、ＤＡＰ１０、ＤＡＰ１２または４−１ＢＢ（ＣＤ１３７）を含む、請求項８に記載の使用。
【請求項１０】
前記血液がんは白血病、リンパ腫または多発性骨髄腫である、請求項１に記載の使用。
【請求項１１】
前記白血病は、慢性リンパ球性白血病（ＣＬＬ）、急性リンパ球性白血病（ＡＬＬ）、または慢性骨髄性白血病（ＣＭＬ）である、請求項１０に記載の使用。
【請求項１２】
前記リンパ腫は、マントル細胞リンパ腫、非ホジキンリンパ腫（ＮＨＬ）またはホジキンリンパ腫である、請求項１０に記載の使用。
【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
方法であって、
ａ）被験体から毛細管血を得る工程であって、毛細管血が無細胞核酸を含む、工程；
ｂ）無細胞核酸を随意に増幅する工程；
ｃ）タグ付けされた無細胞核酸のライブラリーを生成するために、無細胞核酸の少なくとも一部にタグ付けする工程；
ｄ）タグ付けされた無細胞核酸を随意に増幅する工程；
ｅ）タグ付けされた無細胞核酸の少なくとも一部を配列決定する工程；および、
ｆ）タグ付けされた無細胞核酸の少なくとも一部で少なくとも１つの標的配列の正常な表現、過剰表現、あるいは過少表現を検出する工程、
を含む、方法。
【請求項２】
無細胞核酸はデオキシリボ核酸である、請求項１に記載の方法。
【請求項３】
タグ付けされた無細胞核酸のライブラリーは、少なくとも０．５の効率をもって生成される、請求項１または２に記載の方法。
【請求項４】
前記増幅する工程は、クラウディング剤の存在下で無細胞核酸あるいはタグ付けされた無細胞核酸を増幅することを含む、請求項１から３のいずれか１つに記載の方法。
【請求項５】
無細胞核酸の末端を修復する工程をさらに含む、請求項１から４のいずれか１つに記載の方法。
【請求項６】
前記毛細管血を得る工程は１ミリリットル以下の血液を得ることを含む、請求項１から５のいずれか１つに記載の方法。
【請求項７】
前記毛細管血を得る工程は１００マイクロリットル以下の血液を得ることを含む、請求項１から６のいずれか１つに記載の方法。
【請求項８】
無細胞核酸は、腫瘍、胎児、あるいは移植組織または臓器からの無細胞核酸である、請求項１から７のいずれか１つに記載の方法。
【請求項９】
方法であって、
ａ）被験体から約５００μｌ未満の量を有する生体サンプルを得る工程であって、生体サンプルが無細胞核酸分子を含む、工程；
ｂ）配列決定リードを生成するために無細胞核酸の少なくとも一部を配列決定する工程；
ｃ）少なくとも１つの染色体領域に対応する配列決定リードの少なくとも一部を測定する工程；および、
ｄ）少なくとも１つの染色体領域の正常な表現、過剰表現、あるいは過少表現を検出する工程、
を含む、方法。
【請求項１０】
生体サンプルは約４００マイクロリットル未満の量を有する体液である、請求項９に記載の方法。
【請求項１１】
生体サンプルは約５〜約２５０マイクロリットルの量を有する体液である、請求項９または１０に記載の方法。
【請求項１２】
体液サンプルは毛細管血を含む、請求項９から１１のいずれか１つに記載の方法。
【請求項１３】
血漿サンプルを生成するために、毛細管血から、細胞、細胞断片、微小胞、あるいはこれらの組み合わせを取り除くべく、毛細管血を濾過する工程をさらに含む、請求項１２に記載の方法。
【請求項１４】
生体サンプルは最大約１０９の無細胞ＤＮＡ分子を含有する、請求項９から１３のいずれか１つに記載の方法。
【請求項１５】
生体サンプルは約１０４〜約１０９の無細胞ＤＮＡ分子を含有する、請求項９から１４のいずれか１つに記載の方法。
【請求項１６】
生体サンプルは１ｎｇ未満の無細胞ＤＮＡ分子を含有する、請求項９から１５のいずれか１つに記載の方法。
【請求項１７】
生体サンプルは５００ｐｇ未満の無細胞ＤＮＡ分子を含有する、請求項９から１６のいずれか１つに記載の方法。
【請求項１８】
被験体は妊娠している被験体であり、無細胞核酸分子は無細胞胎児核酸分子を含む、請求項９から１７のいずれか１つに記載の方法。
【請求項１９】
無細胞核酸分子は、組織中の腫瘍からの核酸を含む、請求項９から１８のいずれか１つに記載の方法。
【請求項２０】
無細胞核酸分子はデオキシリボ核酸である、請求項９から１９のいずれか１つに記載の方法。
【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
基地局によるワイヤレス通信の方法であって、
第1の数のリソースブロックを有する第1のチャネル、第2の数のリソースブロックを有する同期チャネル、および第2のチャネルを割り振るステップと、
第3の数のリソースブロックを有するオフセットを決定するステップであって、前記第2のチャネルが、前記第1のチャネルから、前記第1の数-前記第2の数+前記第3の数の合計のリソースブロック離れている、ステップと、
前記第3の数のリソースブロックの値をユーザ機器に送信するステップと
を含む方法。
【請求項２】
前記第2のチャネルは、前記第1の数のリソースブロックを有する、請求項1に記載の方法。
【請求項３】
前記第2のチャネルは、第4の数のリソースブロックを有し、
前記第4の数のリソースブロックは、前記第1の数のリソースブロックとは異なる、請求項1に記載の方法。
【請求項４】
第1の同期チャネルから第1の固定オフセットだけ離れて第2の同期チャネルを割り振るステップ
をさらに含む、請求項1乃至3のいずれか1項に記載の方法。
【請求項５】
前記第1の固定オフセットは、100kHzである、請求項4に記載の方法。
【請求項６】
前記第1の同期チャネルから第2の固定オフセットだけ離れて第3の同期チャネルを割り振るステップ
をさらに含む、請求項4に記載の方法。
【請求項７】
前記第2の固定オフセットは、前記第1の固定オフセットの整数倍である、請求項6に記載の方法。
【請求項８】
ワイヤレス通信のための基地局であって、
第1の数のリソースブロックを有する第1のチャネル、第2の数のリソースブロックを有する同期チャネル、および第2のチャネルを割り振るための手段と、
第3の数のリソースブロックを有するオフセットを決定するための手段であって、前記第2のチャネルが、前記第1のチャネルから、前記第1の数-前記第2の数+前記第3の数の合計のリソースブロック離れている、手段と、
前記第3の数のリソースブロックの値をユーザ機器に送信するための手段と
を含む基地局。
【請求項９】
前記第2のチャネルは、前記第1の数のリソースブロックを有する、請求項8に記載の基地局。
【請求項１０】
前記第2のチャネルは、第4の数のリソースブロックを有し、
前記第4の数のリソースブロックは、前記第1の数のリソースブロックとは異なる、請求項8に記載の基地局。
【請求項１１】
第1の同期チャネルから第1の固定オフセットだけ離れて第2の同期チャネルを割り振るための手段
をさらに含む、請求項8乃至10のいずれか1項に記載の基地局。
【請求項１２】
前記第1の固定オフセットは、100kHzである、請求項11に記載の基地局。
【請求項１３】
前記第1の同期チャネルから第2の固定オフセットだけ離れて第3の同期チャネルを割り振るための手段
をさらに含む、請求項11に記載の基地局。
【請求項１４】
前記第2の固定オフセットは、前記第1の固定オフセットの整数倍である、請求項13に記載の基地局。
【請求項１５】
命令を記憶したコンピュータ可読記録媒体であって、前記命令は、1つまたは複数のプロセッサによって実行されると、前記1つまたは複数のプロセッサに、
第1の数のリソースブロックを有する第1のチャネル、第2の数のリソースブロックを有する同期チャネル、および第2のチャネルを割り振るためのコードと、
第3の数のリソースブロックを有するオフセットを決定するためのコードであって、前記第2のチャネルが、前記第1のチャネルから、前記第1の数-前記第2の数+前記第3の数の合計のリソースブロック離れている、コードと、
前記第3の数のリソースブロックの値をユーザ機器に送信するためのコードと
を実行させる、コンピュータ可読記録媒体。
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
核酸分子を処理又は分析する方法であって、
（ａ）前記核酸分子の少なくとも一部を含む電荷二重層に電気的に連結しているセンサーを用意することと、
（ｂ）前記核酸分子に相補的な成長する鎖にヌクレオチドを取り込むのに十分な条件下で、重合酵素の存在下、前記核酸分子を、エフェクターに結合しているヌクレオチドに接触させることであって、前記エフェクターが、前記ヌクレオチドにおける電荷分布を調整できることと、
（ｃ）上記（ｂ）に続いて、前記センサーで、前記電荷二重層に関連する一又は複数のシグナルを検出することであって、前記一又は複数のシグナルが、前記成長する鎖に取り込まれた前記エフェクターに結合している前記ヌクレオチドを示し、前記検出の間、前記エフェクターが、前記ヌクレオチドにおける電荷分布を調整することと、
（ｄ）前記ヌクレオチドにおける前記電荷分布に対応する前記エフェクターの効果を減らすことと、
を含む方法。
【請求項２】
前記核酸分子がビーズに結合している、請求項１に記載の方法。
【請求項３】
前記核酸分子が前記センサーの表面に結合している、請求項１に記載の方法。
【請求項４】
前記核酸分子が、互いに相同する配列を有する複数の核酸分子に含まれ、前記電荷二重層が前記複数の核酸分子を含む、請求項１に記載の方法。
【請求項５】
前記センサーが、センサーアレイの一部である、請求項１に記載の方法。
【請求項６】
前記エフェクターが、前記ヌクレオチドの核酸塩基に結合している、請求項１に記載の方法。
【請求項７】
前記エフェクターが、静電気的部分である、請求項１に記載の方法。
【請求項８】
前記（ｄ）が、前記ヌクレオチドから前記エフェクターを除去することを含む、請求項１に記載の方法。
【請求項９】
前記ヌクレオチドが、さらなるヌクレオチドが前記核酸分子に安定的にハイブリダイズすることを妨げる可逆性ターミネーターを含む、請求項１に記載の方法。
【請求項１０】
前記（ｃ）に引き続き、かつ、他のヌクレオチドを前記成長する鎖に取り込む前に、前記可逆性ターミネーターを除去することをさらに含む、請求項９に記載の方法。
【請求項１１】
前記ヌクレオチドが異なる種類の複数のヌクレオチドに含まれ、
前記（ｂ）が、前記核酸を前記複数のヌクレオチドに接触させることを含む、
請求項１に記載の方法。
【請求項１２】
前記複数のヌクレオチドが、一つの種類のエフェクターに可逆的に連結している、請求項１１に記載の方法。
【請求項１３】
前記複数のヌクレオチドが、異なる種類の複数のエフェクターに可逆的に連結している、請求項１１に記載の方法。
【請求項１４】
前記一又は複数のシグナルが、定常状態シグナルである、請求項１に記載の方法。
【請求項１５】
前記一又は複数のシグナルが、前記電荷二重層におけるインピーダンス又はインピーダンス変化により生成した電気的シグナルである、請求項１に記載の方法。
【請求項１６】
前記一又は複数のシグナルが、前記電荷二重層における伝導率又は伝導率変化により生成した電気的シグナルである、請求項１に記載の方法。
【請求項１７】
前記一又は複数のシグナルが、前記電荷二重層における電荷又は電荷変化により生成した電気的シグナルである、請求項１に記載の方法。
【請求項１８】
前記センサーが、前記電荷二重層と連結している複数の電極を備える、請求項１に記載の方法。
【請求項１９】
前記核酸分子の配列又は長さが決定されるまで、前記（ｂ）から前記（ｄ）が繰り返される、請求項１に記載の方法。
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
無線通信システムにおいて無線装置がランダムアクセス手順でＭＳＧ３を送信する方法であって、
活性アップリンク（ＵＬ）帯域幅部分（ＢＷＰ）内で、前記ランダムアクセス手順での前記ＭＳＧ３の送信のための周波数資源を決定するステップと、
前記活性ＵＬ  ＢＷＰ内で、前記周波数資源を介して前記ＭＳＧ３をネットワークに送信するステップと、を含み、
前記周波数資源の開始位置は、前記活性ＵＬ  ＢＷＰの最も小さい物理資源ブロック（ＰＲＢ）であり、
前記周波数資源の帯域幅は、初期ＵＬ  ＢＷＰの帯域幅と同一である、方法。
【請求項２】
前記活性ＵＬ  ＢＷＰは、前記初期ＵＬ  ＢＷＰを含まない、請求項１に記載の方法。
【請求項３】
前記ＭＳＧ３は、ＵＬ搬送波またはＳＵＬ搬送波のうち、いずれか１つに位置した前記活性ＵＬ  ＢＷＰ内で前記ネットワークに送信される、請求項１に記載の方法。
【請求項４】
前記ＭＳＧ３が送信される前記活性ＵＬ  ＢＷＰを含む前記ＵＬ搬送波または前記ＳＵＬ搬送波は、ランダムアクセスプリアンブルが送信された搬送波と同じ搬送波である、請求項３に記載の方法。
【請求項５】
無線通信システムにおける無線装置であって、
少なくとも１つの送受信部と、
少なくとも１つのプロセッサと、
前記少なくとも１つのプロセッサに動作可能に接続可能な少なくとも１つのコンピュータメモリと、を備え、
前記少なくとも１つのコンピュータメモリは、前記少なくとも１つのプロセッサにより実行されることに基づいて、
活性アップリンク（ＵＬ）帯域幅部分（ＢＷＰ）内で、ランダムアクセス手順でのＭＳＧ３の送信のための周波数資源を決定し、
前記活性ＵＬ  ＢＷＰ内で、前記周波数資源を介して前記ＭＳＧ３をネットワークに送信することを含む動作を実行する命令を格納し、
前記周波数資源の開始位置は、前記活性ＵＬ  ＢＷＰの最も小さい物理資源ブロック（ＰＲＢ）であり、
前記周波数資源の帯域幅は、初期ＵＬ  ＢＷＰの帯域幅と同一である、無線装置。
【請求項６】
前記活性ＵＬ  ＢＷＰは、前記初期ＵＬ  ＢＷＰを含まない、請求項５に記載の無線装置。
【請求項７】
前記ＭＳＧ３は、ＵＬ搬送波またはＳＵＬ搬送波のうち、いずれか１つに位置した前記活性ＵＬ  ＢＷＰ内で前記ネットワークに送信される、請求項５に記載の無線装置。
【請求項８】
前記ＭＳＧ３が送信される前記活性ＵＬ  ＢＷＰを含む前記ＵＬ搬送波または前記ＳＵＬ搬送波は、ＰＲＡＣＨプリアンブルが送信された搬送波と同じ搬送波である、請求項７に記載の無線装置。
【請求項９】
無線通信システムにおいて基地局（ＢＳ）がランダムアクセス手順でＭＳＧ３を受信する方法であって、
ランダムアクセスプリアンブルを無線装置から受信するステップと、
前記ランダムアクセスプリアンブルに対する応答としてランダムアクセス応答を前記無線装置に送信するステップと、
活性アップリンク（ＵＬ）帯域幅部分（ＢＷＰ）内で、前記ＭＳＧ３の送信のための周波数資源を介して前記ＭＳＧ３を前記無線装置から受信するステップと、を含み、
前記周波数資源の開始位置は、前記活性ＵＬ  ＢＷＰの最も小さい物理資源ブロック（ＰＲＢ）であり、
前記周波数資源の帯域幅は、初期ＵＬ  ＢＷＰの帯域幅と同一である、方法。
【請求項１０】
前記活性ＵＬ  ＢＷＰは、前記初期ＵＬ  ＢＷＰを含まない、請求項９に記載の方法。
【請求項１１】
前記ＭＳＧ３は、ＵＬ搬送波またはＳＵＬ搬送波のうち、いずれか１つに位置した前記活性ＵＬ  ＢＷＰ内で前記無線装置から受信される、請求項９に記載の方法。
【請求項１２】
前記ＭＳＧ３が受信される前記活性ＵＬ  ＢＷＰを含む前記ＵＬ搬送波または前記ＳＵＬ搬送波は、前記ランダムアクセスプリアンブルが受信された搬送波と同じ搬送波である、請求項１１に記載の方法。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
式（Ｉ）：
Ａ−Ｘ−Ｂ−Ｙ−Ｃ
式Ｉ
の分子であって
式中、
Ａは結合部分であり、
Ｂはポリヌクレオチドであり、
Ｃはポリマーであり、
Ｘは単結合あるいは第１の非ポリマーリンカーであり、および、
Ｙは単結合または第２のリンカーであり、
ここで、ポリヌクレオチドは、少なくとも１つの５’−ビニルホスホネート修飾された非天然ヌクレオチド、および、少なくとも１つの修飾されたヌクレオチド間結合、あるいは少なくとも１つの逆脱塩基部分を含み、ならびに、
ＡとＣは同じ末端でＢに結合しない、分子。
【請求項２】
少なくとも１つの５’−ビニルホスホネート修飾された非天然のヌクレオチドは、ポリヌクレオチドの５’−末端に位置する、請求項１に記載の分子。
【請求項３】
少なくとも１つの５’−ビニルホスホネート修飾された非天然のヌクレオチドは、ポリヌクレオチドのヌクレオチド間結合に位置する、請求項１または２に記載の分子。
【請求項４】
少なくとも１つの５’−ビニルホスホネート修飾された非天然のヌクレオチドは、２’−位置でさらに修飾される、請求項１−３に記載の分子。
【請求項５】
２’−修飾は、２’−Ｏ−メチル、２’−Ｏ−メトキシエチル（２’−Ｏ−ＭＯＥ）、２’−デオキシ、２’−デオキシ−２’−フルオロ、２’−Ｏ−アミノプロピル（２’−Ｏ−ＡＰ）、２’−Ｏ−ジメチルアミノエチル（２’−Ｏ−ＤＭＡＯＥ）、２’−Ｏ−ジメチルアミノプロピル（２’−Ｏ−ＤＭＡＰ）、２’−Ｏ−ジメチルアミノエチルオキシエチル（２’−Ｏ−ＤＭＡＥＯＥ）、２’−Ｏ−Ｎ−メチルアセトアミド（２−Ｏ−ＮＭＡ）、２’エチルオキシエチル（２’−Ｏ−ＥＯＥ）、２’−Ｏ−（２−Ｎ−メチルカルバモイルエチル）、ＰＥＧ１、またはＰＥＧ２修飾されたヌクレオチドから選択される、請求項４に記載の分子。
【請求項６】
少なくとも１つの５’−ビニルホスホネート修飾された非天然のヌクレオチドは、以下から選択され：
【化１】
2021500862.tif 000001
Ｂは複素環式塩基部分であり、
Ｒ１、Ｒ２、およびＲ３は、水素、ハロゲン、アルキル、アルコキシ、あるいはアミノアルキルから独立して選択され、および、
Ｊは、ポリヌクレオチドの隣接するヌクレオチドに結合するヌクレオチド間結合基である、
請求項１−５に記載の分子。
【請求項７】
少なくとも１つの５’−ビニルホスホネート修飾された非天然のヌクレオチドは、以下から選択され：
【化２】
2021500862.tif 000002
Ｂは複素環式塩基部分であり、
Ｒ４およびＲ５は、水素、ハロゲン、アルキル、アルコキシ、あるいはアミノアルキルから独立して選択され、および、
Ｊは、ポリヌクレオチドの隣接するヌクレオチドに結合するヌクレオチド間結合基である、請求項１−５に記載の分子。
【請求項８】
少なくとも１つの５’−ビニルホスホネート修飾された非天然のヌクレオチドは、以下から選択され：
【化３】
2021500862.tif 000003
Ｂは複素環式塩基部分であり、
Ｒ６は、水素、ハロゲン、アルキル、アルコキシ、あるいはアミノアルキルから選択され、および、
Ｊは、ポリヌクレオチドの隣接するヌクレオチドに結合するヌクレオチド間結合基である、請求項１−５に記載の分子。
【請求項９】
少なくとも１つの５’−ビニルホスホネート修飾された非天然のヌクレオチドは、ロックド核酸（ＬＮＡ）またはエチレン核酸（ＥＮＡ）から選択される、請求項１−５に記載の分子。
【請求項１０】
少なくとも１つの５’−ビニルホスホネート修飾された非天然のヌクレオチドは、以下から選択され：
【化４】
2021500862.tif 000004
Ｂは複素環式塩基部分であり、および、
Ｊは、ポリヌクレオチドの隣接するヌクレオチドに結合するヌクレオチド間結合基である、請求項１−５に記載の分子。
【請求項１１】
少なくとも１つの５’−ビニルホスホネート修飾された非天然のヌクレオチドは、以下から選択され：
【化５】
2021500862.tif 000005
Ｂは複素環式塩基部分であり、および、
Ｊは、ポリヌクレオチドの隣接するヌクレオチドに結合するヌクレオチド間結合基である、請求項１−５に記載の分子。
【請求項１２】
少なくとも１つの５’−ビニルホスホネート修飾された非天然のヌクレオチドは、以下であり：
【化６】
2021500862.tif 000006
Ｂは複素環式塩基部分であり、
Ｒ６は、水素、ハロゲン、アルキル、アルコキシ、あるいはアミノアルキルから選択され、および、
Ｊは、ポリヌクレオチドの隣接するヌクレオチドに結合するヌクレオチド間結合基である、請求項１−５に記載の分子。
【請求項１３】
少なくとも１つの修飾されたヌクレオチド間結合は、ホスホロチオエート結合、ホスホロジチオエート結合、ホスホロジアミデート結合、メチルホスホネート結合、あるいはアミド結合を含む、請求項１−１２に記載の分子。
【請求項１４】
少なくとも１つの逆脱塩基部分は少なくとも１つの末端である、請求項１−１３に記載の分子。
【請求項１５】
ポリヌクレオチドは一本鎖を含む、請求項１−１４に記載の分子。
【請求項１６】
ポリヌクレオチドは、二本鎖ポリ核酸分子を形成するために、第１のポリヌクレオチドと、第１のポリヌクレオチドにハイブリダイズされた第２のポリヌクレオチドとを含む、請求項１−１４に記載の分子。
【請求項１７】
第２のポリヌクレオチドは少なくとも１つの修飾を含む、請求項１６に記載の分子。
【請求項１８】
第１のポリヌクレオチドおよび第２のポリヌクレオチドはＲＮＡ分子である、請求項１６に記載の分子。
【請求項１９】
ＸとＹは独立して単結合であり、および、ＸとＹは独立してＣ１−Ｃ６アルキル基である、請求項１−１８に記載の分子。
【請求項２０】
Ｘは、随意にＣ１−Ｃ６アルキル基に結合した、ホモ二機能性リンカーあるいはヘテロ二機能性リンカーであり、および、Ｙはホモ二機能性リンカーあるいはヘテロ二機能性リンカーである、請求項１−１８に記載の分子。
【請求項２１】
結合部分は、ヒト化抗体またはその結合フラグメント、キメラ抗体またはその結合フラグメント、モノクローナル抗体またはその結合フラグメント、一価Ｆａｂ’、二価Ｆａｂ２、一本鎖可変フラグメント（ｓｃＦｖ）、ダイアボディ、ミニボディ、ナノボディ、単一ドメイン抗体（ｓｄＡｂ）、またはラクダ抗体、あるいはその結合フラグメントを含む、請求項１−２０に記載の分子。
【請求項２２】
結合部分はペプチドまたは小分子を含む、請求項１−２０に記載の分子。
【請求項２３】
Ｃはポリエチレングリコールである、請求項１−２２に記載の分子。
【請求項２４】
Ｃは約１０００Ｄａ、２０００Ｄａ、あるいは５０００Ｄａの分子量を有する、請求項２３に記載の分子。
【請求項２５】
Ａ−ＸはＢの５’末端に結合し、および、Ｙ−ＣはＢの３’末端に結合し、あるいは、Ｙ−ＣはＢの５’末端に結合し、および、Ａ−ＸはＢの３’末端に結合する、請求項１−２４に記載の分子。
【請求項２６】
さらにＤを含み、Ｄはエンドソーム溶解性部分である、請求項１−２５に記載の分子。